(57)【要約】【課題】  袋体を引き寄せて閉じる紐のズレを防止し、袋体の開口状態では、屈壁の屈折を防止できる紐ズレと屈折防止袋を提供する。【解決手段】  寄り壁１に開けた寄り穴２と滑穴３との間に位置する紐４の部分領域を穴間域５とし、穴間域５に紐止６を設けて紐４のズレを防止し、屈壁７が伸び状態で固定できる箇所として、屈壁７の屈線８と交差するＶ字形状の支え線９を入れ、屈線８と支え線９との交点を膨出点１０とし、支え線９を山折する事で膨出点１０が膨出して屈壁７の屈折を阻止する。【選択図】  図１
2009280248.tif 000002
【特許請求の範囲】
【請求項１】
寄り壁１に開けた寄り穴２と滑穴３との間に位置する紐４の部分領域を穴間域５とし、穴間域５に紐止６を設けて紐４のズレを防止し、屈壁７が伸び状態で固定できる箇所を設けた事を特徴とした紐ズレと屈折防止袋。
【請求項２】
屈壁７が伸び状態で固定できる箇所として、屈壁７の屈線８と交差する支え線９を入れ、屈線８と支え線９との交点を膨出点１０とし、支え線９を山折する事で膨出点１０が膨出して屈壁７の屈折を阻止する事を特徴とした請求項１記載の紐ズレと屈折防止袋。
【発明の詳細な説明】
【技術分野】
【０００１】
本発明は、袋体の開口部を引き寄せて閉じる紐のズレ防止と、袋体の開口状態を保持するために、屈壁の屈折を防止する事のできる紐ズレと屈折防止袋に関する。
【背景技術】
【０００２】
従来の紐ズレと屈折防止袋は、屈壁に開けた止め穴へ、紐の部分領域を使って形成した止め環を通して紐のズレを防止し、硬板のバネ板機能によって屈壁の屈折を防止する構造であった。
【特許文献１】特願２００８−５１７５４号
【発明の開示】
【発明が解決しようとする課題】
【０００３】
背景技術の側壁架け閉じ袋では、紐ズレを止める役目の止め穴には止め環の負担が掛かって破れる事もあり、止め環を形成する手間と、止め環を作るための余分な紐が必要となり、硬板を作る材料が余分に必要であり、硬板のバネ機能は弱く、屈壁を張直させるには力不足、という問題点があり、これらの問題解決を目的とする。
【課題を解決するための手段】
【０００４】
寄り壁に開けた寄り穴と滑穴との間に位置する紐の部分領域である穴間域へ紐止を設け、屈壁の屈線と交差するＶ字山折線で支え線を入れる。
【発明の効果】
【０００５】
穴間域へ紐止を設けた事で、紐止は寄り穴と滑穴の範囲内でしか移動しないので、袋体の開口部を閉じるときに引き寄せて使用する紐がズレるのを防止し、屈壁には紐を通して固定する止め穴が無いので屈壁に負担が掛かって破れる事は無く、支え線の山折によって、交点である膨出点が膨出して屈線の谷折が部分的に解除されて、屈壁の伸び状態が保持されるので、止め環と硬板によるバネ機能は不要になる。
【発明を実施するための最良の形態】
【０００６】
最良の形態を、図１から図５を参照しながら、以下の実施例で説明する。
【実施例１】
【０００７】
図１は、開口状態要部透視斜視図であり、袋体１１は、従来の紙袋と同様に使用できる他、スーパーマーケットのレジの横へセットして、精算が済んだ購買品をそのまま袋体１１へ収納するレジバッグとしての使用方法であっても良く、寄り壁１方を前後方向の縦とし、屈壁７方を左右方向の横とする事から側とも表示し、透視線は破線で表示し、折線は一点鎖線で表示し、山折谷折で表示する折り曲げ方向は外側からを基準にし、袋体１１は天面の開口部１２を開口した立方体を含む直方体である事が望ましく、前後に対面して成る対の寄り壁１、左右に対面して成る屈壁７、寄り壁１と屈壁７との下辺に隣接する矩形（正方形も含む）の底壁１３、前記五枚の壁で袋体１１を形成し、袋体１１の上辺は切りっ放しであっても袋折であっても良く、袋体１１の形成方法は限定ではなく、屈壁７の底辺と屈壁７の中央を天地に縦断する屈線８とを合着して袋状にしても良いし、従来の紙袋と同じ形成方法であっても良く、合着方法は限定ではないが、接着である事が望ましく、粘着、溶着、場合によっては縫合や嵌合であっても良い。
【０００８】
紐４は、輪の状態にして袋体１１の開口部１２の周囲へ取り付ける構造であり、一般的に市販されている紐４は線状である事から両端を連結して輪の形状にする必要があり、紐４の連結構造は限定ではなく、縫合であっても良いが結ぶ事が望ましく、結んだ事によって生じた玉形状箇所を紐止６として活用し、紐止６は単数であっても良いが、他方の端へ形成する二箇所である事が望ましく、紐止６を二箇所有する場合、両方共に分離している紐２の端を連結する結び構造であっても良いが、他方の紐止６に於いては、紐６の中央を折り返して玉結びする構造が望ましく、玉結びから先の折り返し領域を調節環１４とし、調節環１４によって紐４で形成された輪の大きさを加減し、寄り壁１に設ける寄り穴２と滑穴３の位置関係及び紐４の通し方は、背景技術で示した特願２００８−５１７５４号と同様であり、もう一度説明するならば、対面で有する寄り壁１の上部の両側へ滑穴３を打ち抜き、滑穴３各々の隣へ寄り穴２を打ち抜き、隣どうしの寄り穴２間に位置して外域に出ている紐４の部分領域を取手域１５とし、隣どうしに位置する寄り穴２と滑穴３との間で内側へ入っている紐４の部分領域を穴間域５とし、穴間域５は寄り壁１上部の両側二箇所に有している事から全部で四箇所有しており、少なくても一箇所の穴間域５には紐止６を形成し、四箇所全ての穴間域５に紐止６を形成しても良いが、対角の位置関係、別の表現にするならば一つ飛びの二箇所の穴間域５に紐止６を形成する事が望ましく、紐止６を対角の二箇所にする事で二本有する取手域１５の長さを互いに一定で保つ事ができ、正面の滑穴３から通り出た紐４は、隣の屈壁７の両側縁を繋ぐ架け橋状態で架かり、対面する背面の滑穴３から袋体１１の内部へ入り、対面する滑穴３の間に位置する紐４の部分領域を架け域１６とし、袋体１１の上部は、単層であっても良いが、袋体１１の内部へ袋折状態で折り返し、折り返しによって重なり合った領域を重合域１７とし、重合域１７は従来の紙袋にも有しており、重合域１７の上下幅は限定ではなくて適宜ではあるが、寄り穴２と滑穴３とを重合域１７の範囲内で全層を打ち抜いて形成する事が強度を保つ上で望ましく、寄り壁１範囲内の重合域１７へ硬板を挟み込んで補強する事が望ましく、硬板の挟み込みは従来の紙袋に於いても実施されている事から図示しない事にし、硬板の素材は限定ではなく、適宜に硬いプラスチック板や段ボール紙であっても良いが、厚紙が望ましい。
【０００９】
屈壁７に於いて、下部領域の逆さＶ字直角折線は従来技術の形状である事から説明しない事にし、屈壁７の中央を天地に貫く谷折線で屈線８は形成されており、袋体１１の使用が少ない新しい状態では屈壁７の硬さも残っていて、屈線８の折り癖による劣化も少ない事から屈壁７を伸びた状態に戻す事もできるが、使用を重ねてヨレヨレになるに従って屈線８の折り目の劣化も進み、場合によっては折り目部分が破れるまで劣化する事もあり、折り目の劣化によって屈線８の谷折状態が戻らなくなるので、屈壁７の折り目を伸ばして平らな状態に戻す為の箇所を設ける必要があり、折り目を伸ばす役目を支え線９が担っており、屈線８と交差するＶ字の山折線で支え線９を設け、支え線９のＶ字屈折箇所は屈線８との交点に位置し、支え線９と屈線８との交点を膨出点１０とし、支え線９から上領域を内倒域１８とし、支え線９を山折する事で内倒域１８は袋体１１の内側へ少しだけ倒れ込み、内倒域１８の倒れ込みの反動で膨出点１０下隣の屈線８が山折になるので、屈線８の谷折が阻止されて屈壁７の折れ込みが防止され、袋体１１の開口部１２の開口状態が保持され、Ｖ字形状の支え線９のＶ字の角度は限定ではなく、広い角度であれば内倒域１８の上下幅が狭くなるので膨出点１０の膨出は少なくなる事から屈線８の谷折阻止能力は減少し、Ｖ字の角度を小さくして内倒域１８の上下幅を広くすれば屈線８の谷折阻止能力は大きくなるがそれにも限度があり、Ｖ字角度は九十度程度が効果的であり、支え線９を重合域１７の範囲内に設ければ、内倒域１８の倒れ込み状態を保持し易くできる。
【００１０】
袋体１１の形成方法は限定ではなく、従来の紙袋と同様の形成方法を始め、屈壁７の底辺と屈線８とを繋ぎ合わせる方法、ポリ製のレジ袋の底と同様の形成方法などであっても良く、袋体１１を形成する素材は限定ではなく、紙袋に使用されている適宜に硬い紙が望ましいのであるが、厚紙、段ボール紙、ユポ（商標名）やポリなどのプラスチック、不織布、織り布、保冷シートなどの素材であっても良く、紐４は市販品の物を用いるのであり、アクリル、ポリなどのプラスチック素材、綿、麻などの自然素材などがあり、断面が平たい平紐或いはテープであっても良いが、断面が丸い丸紐の方が望ましく、組み紐であっても、より紐であっても良い。
【００１１】
図２は、開口状態側方上面斜視図であり、支え線９を山折する事で内倒域１８は袋体１１の内側へ倒れ込み、内倒域１８の倒れ込みの反動によって膨出点１０が膨出し、膨出点１０の膨出が屈線８の谷折を阻止しているので開口部１２の開口状態が保持され、膨出している膨出点１０を外から押し込む事で谷折阻止構造は解除されて屈線８は谷折状態になる。
【００１２】
紐４は、一方の紐止６の箇所で玉結びされて輪の状態を成し、紐止６は一箇所であっても良いが、最遠位置関係にある他方にも設ける事が望ましく、他方の紐止６からの突出領域は切り離されていない環形状を成し、前記の環形状領域を調節環１４とし、他方の紐止６の位置を移動させる事で調節環１４の大きさを加減し、調節環１４の加減と連動して紐４で形成された輪の大きさを加減して取手域１５の長さを調節し、他方の紐止６は玉結びであっても良いし、市販品のコードストッパーを用いても良く、紐止６の全ては穴間域５上に有する事が望ましく、紐止６を四箇所全ての穴間域５上に設けたならば、寄り穴２と滑穴３とに塞き止められて穴間域５の範囲でしかスライドしないが、紐止６を二箇所にした場合、取手域１５を引き出せば、紐止６を有しない穴間域５は隣接の寄り穴２を擦り抜けて、架け域１６の領域は滑穴３から寄り穴２も擦り抜けてしまうので屈線８を最後まで屈折させて屈壁７を折畳む事ができ、紐止６を二箇所にする場合は、最遠の位置関係である事が望ましく、最遠の位置関係は対角の位置関係でもあり、又、穴間域５は4箇所有している事から一つ飛ばしで紐止６を有する事でもあり、最遠の位置関係の二箇所で紐止６を設けた事で、取手域１５の長さを均等に保持できる事から紐４のズレを防止でき、紐止６が一箇所の場合は、取手域１５どうしが互いに均等を保つ事の機能性には欠けるが、紐止６が寄り穴２と滑穴３との範囲からズレない事の機能は保つ事ができる。
【００１３】
袋体１１の折畳み構造は限定ではなく、従来の紙袋同様に寄り壁１の下部へ水平な谷折線を入れて折畳んでも良いし、屈線８の下端どうしを繋ぐ谷折線である底折線１９を底壁１３へ入れて、底壁１３を折畳む構造であっても良い。
【００１４】
図３は、閉じ過程要部透視斜視図であり、膨出点１０を押し込む事によって支え線９の山折が解除されて内倒域１８の倒れ込みも解除され、屈線８が谷折する事で屈壁７は折り込まれ、輪の状態に成った紐４の取手域１５を引き上げる事で、袋体１１の自重によって架け域１６が隣の滑穴３へ滑り込んで短くなって行き、架け域１６の減少によって屈壁７の側縁どうしは引き寄せられて屈線８が屈折して行き、紐止６を有する穴間域５は、紐止６が隣の寄り穴２へ塞ぎ止まって穴間域５が取手域１５へ滑り出なくなるが、紐止６を有しない穴間域５は、隣の寄り穴２で塞ぎ止まる箇所が無いので穴間域５と架け域１６までも擦り抜けさせて取手域１５を長くして行き、袋体１１に物が入って重たくなった状態で屈壁７の上両角を寄り添わせれば架け域１６の引き込みが助長され、屈壁７上両角領域が寄り添う状態まで屈線８が屈折し、紐止６が最遠関係で二箇所有する事で、取手域１５の長さは双方共に同寸を保った状態で引き出す事ができ、架け域１６が屈壁７を取り巻いているので、袋体１１に収納された物が崩れても屈壁７を内側から圧迫して膨れ出る事が無く、紐４から伝わる負荷は、寄り穴２と滑穴３とに分散されているので、袋体１１は破れ難くなる。
【実施例２】
【００１５】
図４は、実施例２を表示する開口状態斜視図であり、屈壁７の谷折を伸ばす方法として、張直具２４を設ける構造であり、屈線８と直角に交差する基線２０から突出板２１を折り出し、折り出した突出板２１と屈壁７とが離れる事によって屈線８の谷折は阻止されるのが基本構造であり、前記の折り出しを補助する箇所として、突出板２１の先縁に延設した額縁２２を介してＶ字折りされたバネ板２３を延設し、突出板２１と額縁２２とバネ部２３によって張直具２４は形成されて屈壁７の上部へ設ける構造である。
【００１６】
図５は、従来例の紙袋技術を示した閉じ過程斜視図であり、従来の紙袋の殆どは屈壁７の上部にＶ字線２５は有しておらず、寄り壁１の幅に対して屈壁７の幅が広い紙袋に於いてはＶ字線２５を有している紙袋があり、この従来技術の紙袋に於いてのＶ字線２５は谷折線であり、Ｖ字線２５を谷折する事で屈壁７の上部領域は外側へ倒れ出て外倒域２６になり、外倒域２６は屈線８の谷折を阻止するのではなくて逆に助長する働きを成し、寄り壁１の幅が狭くて屈壁７の幅が広い場合は屈折した屈壁７の上端どうしが接する事もあり、外倒域２６によって屈壁７の上端どうしを互いに離して両者の接触を回避し、外倒域２６によって屈壁７の天縁を横へ倒せば、寄り壁１の天縁だけが寄り添って見た目が美しくなり、従来技術の外倒域２６と本件発明物の内倒域１８とは外見的に似た所はあるが機能的には別異な技術である。
【産業上の利用可能性】
【００１７】
本発明品は、従来の紙袋、レジ用紙袋への使用を目的としているが、布製及び皮製の鞄にも適応できる。
【図面の簡単な説明】
【００１８】
【図１】開口状態要部透視斜視図（実施例１）
【図２】開口状態側方上面斜視図（実施例１）
【図３】閉じ過程要部透視斜視図（実施例１）
【図４】開口状態斜視図（実施例２）
【図５】閉じ過程斜視図（従来例）
【符号の説明】
【００１９】
１  寄り壁
２  寄り穴
３  滑穴
４  紐
５  穴間域
６  紐止
７  屈壁
８  屈線
９  支え線
１０  膨出点
【図１】
2009280248.tif 000003
【図２】
2009280248.tif 000004
【図３】
2009280248.tif 000005
【図４】
2009280248.tif 000006
【図５】
2009280248.tif 000007